(57)【要約】本発明は、広帯域無線接続システムに関し、特に、ハンドオーバーまたは領域変更時に端末がターゲット基地局またはターゲット領域に行うレンジングの電力を效率的に決定する方法に関する。本発明の一実施例に係る広帯域無線接続システムにおいて端末が第１の領域から第２の領域への網再進入のための上りリンク電力制御を行う方法は、前記第１の領域から、前記第２の領域に適用される電力制御パラメータを含む媒体接続制御管理（ＭＡＣ  ｍａｎａｇｅｍｅｎｔ）メッセージを受信することと、前記電力制御パラメータを適用して前記第２の領域にレンジングを行うことと、を含むことができる。【選択図】図２
2013545394.tif 000002
【特許請求の範囲】
【請求項１】
広帯域無線接続システムにおいて端末が第１の領域から第２の領域への網再進入のための上りリンク電力制御を行う方法であって、
前記第１の領域から、前記第２の領域に適用される電力制御パラメータを含む媒体接続制御管理（ＭＡＣ  ｍａｎａｇｅｍｅｎｔ）メッセージを受信することと、
前記電力制御パラメータを適用して前記第２の領域にレンジングを行うことと、
を含む、電力制御方法。
【請求項２】
前記電力制御パラメータは、
周波数分割の熱対比干渉（ｉｏｔＦＰ）値及びオフセットコントロール（ｏｆｆｓｅｔＣｏｎｔｒｏｌ）値を含む、請求項１に記載の電力制御方法。
【請求項３】
前記第１の領域はサービング基地局（Ｓ−ＡＢＳ）であり、前記第２の領域はターゲット基地局（Ｓ−ＡＢＳ）であり、
前記媒体接続制御管理メッセージは、ハンドオーバー命令（ＡＡＩ−ＨＯ−ＣＭＤ）メッセージであることを特徴とする、請求項２に記載の電力制御方法。
【請求項４】
前記ハンドオーバー命令メッセージは、専用レンジングコードをさらに含み、
前記レンジングを行うことは、前記専用レンジングコードを前記ターゲット基地局に伝送することを含む、請求項３に記載の電力制御方法。
【請求項５】
前記第１の領域は、ミックスモードで動作する基地局のエルゾーン（ＬＺｏｎｅ）であり、前記第２の領域は、前記基地局のエムゾーン（ＭＺｏｎｅ）であり、
前記媒体接続制御管理メッセージは、レンジング応答（ＲＮＧ−ＲＳＰ）メッセージであることを特徴とする、請求項２に記載の電力制御方法。
【請求項６】
前記レンジング応答メッセージは、前記エムゾーンで前記端末を臨時に識別するための臨時識別子（ＴＳＴＩＤ）をさらに含み、
前記レンジングを行うことは、レンジング要請メッセージを伝送するための上りリンクリソースを要請するための帯域要請（ＢＲ）情報を前記エムゾーンに伝送することを含み、
前記帯域要請情報に前記電力制御パラメータが適用されることを特徴とする、請求項５に記載の電力制御方法。
【請求項７】
広帯域無線接続システムにおいてサービング基地局が端末の上りリンク電力制御を考慮してハンドオーバーを支援する方法であって、
ターゲット基地局から、専用レンジングコード及び電力制御情報を受信することと、
前記ターゲット基地局に適用される電力制御パラメータ及び前記専用レンジングコードを含むハンドオーバー命令（ＡＡＩ−ＨＯ−ＣＭＤ）メッセージを前記端末に伝送することと、
を含む、ハンドオーバー支援方法。
【請求項８】
前記電力制御パラメータは、
周波数分割の熱対比干渉（ｉｏｔＦＰ）値及びオフセットコントロール（ｏｆｆｓｅｔＣｏｎｔｒｏｌ）値を含む、請求項７に記載のハンドオーバー支援方法。
【請求項９】
広帯域無線接続システムにおいてミックスモードで動作する基地局が端末の上りリンク電力制御を考慮して領域変更を支援する方法であって、
第１の領域を通じて、前記端末を第２の領域で識別するための臨時識別子及び前記第２の領域に適用される電力制御パラメータを含むレンジング応答メッセージを前記端末に伝送することと、
前記第２の領域を通じて、前記臨時識別子を含む帯域要請情報を受信することと、
を含む、領域変更支援方法。
【請求項１０】
前記電力制御パラメータは、
周波数分割の熱対比干渉（ｉｏｔＦＰ）値及びオフセットコントロール（ｏｆｆｓｅｔＣｏｎｔｒｏｌ）値を含む、請求項９に記載の領域変更支援方法。
【請求項１１】
広帯域無線接続システムの第１の領域から第２の領域への網再進入のための上りリンク電力制御を行う改善端末（ＡＭＳ）装置であって、
プロセッサと、
前記プロセッサの制御によって外部と無線信号を送受信するための無線通信（ＲＦ）モジュールと、
を備え、
前記プロセッサは、
前記第１の領域から、前記第２の領域に適用される電力制御パラメータを含む媒体接続制御管理（ＭＡＣ  ｍａｎａｇｅｍｅｎｔ）メッセージが受信されると、該受信された電力制御パラメータを適用して前記第２の領域にレンジングを行うように制御することを特徴とする、端末装置。
【請求項１２】
前記電力制御パラメータは、
周波数分割の熱対比干渉（ｉｏｔＦＰ）値及びオフセットコントロール（ｏｆｆｓｅｔＣｏｎｔｒｏｌ）値を含む、請求項１１に記載の端末装置。
【請求項１３】
前記第１の領域はサービング基地局（Ｓ−ＡＢＳ）であり、前記第２の領域はターゲット基地局（Ｓ−ＡＢＳ）であり、
前記媒体接続制御管理メッセージは、ハンドオーバー命令（ＡＡＩ−ＨＯ−ＣＭＤ）メッセージであることを特徴とする、請求項１２に記載の端末装置。
【請求項１４】
前記ハンドオーバー命令メッセージは、専用レンジングコードをさらに含み、
前記プロセッサは、
前記専用レンジングコードに前記電力制御パラメータを適用して前記ターゲット基地局に伝送するように制御することを特徴とする、請求項１３に記載の端末装置。
【請求項１５】
前記第１の領域はミックスモードで動作する基地局のエルゾーン（ＬＺｏｎｅ）であり、前記第２の領域は前記基地局のエムゾーン（ＭＺｏｎｅ）であり、
前記媒体接続制御管理メッセージは、レンジング応答（ＲＮＧ−ＲＳＰ）メッセージであることを特徴とする、請求項１２に記載の端末装置。
【請求項１６】
前記レンジング応答メッセージは、前記エムゾーンで前記端末装置を臨時に識別するための臨時識別子（ＴＳＴＩＤ）をさらに含み、
前記プロセッサは、
前記レンジング要請メッセージを伝送するための上りリンクリソースを要請するための帯域要請（ＢＲ）情報に前記電力制御パラメータを適用して前記エムゾーンに伝送するように制御することを特徴とする、請求項１５に記載の端末装置。
【発明の詳細な説明】
【技術分野】
【０００１】
本発明は、広帯域無線接続システムに係り、特に、ハンドオーバーまたは領域変更時に、端末がターゲット基地局またはターゲット領域に行うレンジングの電力を效率的に決定する方法に関する。
【背景技術】
【０００２】
ハンドオーバー（Ｈａｎｄｏｖｅｒ、ＨＯ）とは、端末が一つの基地局の無線インターフェースから他の基地局の無線インターフェースへ移動することを指す。以下では、一般のＩＥＥＥ  ８０２．１６システムにおけるハンドオーバー手順について説明する。
【０００３】
ＩＥＥＥ  ８０２．１６ネットワークにおいて、サービング基地局（ＳＢＳ：Ｓｅｒｖｉｎｇ  Ｂａｓｅ  Ｓｔａｔｉｏｎ）は移動端末（ＭＳ：Ｍｏｂｉｌｅ  Ｓｔａｔｉｏｎ、以下、「端末」という。）に基本的なネットワーク構成に関する情報（トポロジー）を知らせるために、隣接基地局情報を、隣公示（ＭＯＢ＿ＮＢＲ−ＡＤＶ）メッセージを通じてブロードキャスト（ｂｒｏａｄｃａｓｔ）することができる。
【０００４】
ＭＯＢ＿ＮＢＲ−ＡＤＶメッセージには、サービング基地局及び隣接基地局に関するシステム情報、例えば、プリアンブルインデックス（ｐｒｅａｍｂｌｅ  ｉｎｄｅｘ）、周波数（ｆｒｅｑｕｅｎｃｙ）、ハンドオーバー最適化（ＨＯ  ｏｐｔｉｍｉｚａｔｉｏｎ）可能度合、及びＤＣＤ（Ｄｏｗｎｌｉｎｋ  Ｃｈａｎｎｅｌ  Ｄｅｓｃｒｉｐｔｏｒ）／ＵＣＤ（Ｕｐｌｉｎｋ  Ｃｈａｎｎｅｌ  Ｄｅｓｃｒｉｐｔｏｒ）情報などが含まれている。
【０００５】
ＤＣＤ／ＵＣＤ情報は、下りリンクと上りリンクを通じた情報交信を行うために端末が知っているべき情報を含んでおり、例えば、ハンドオーバートリガー（ＨＯ  ｔｒｉｇｇｅｒ）情報、基地局のＭＡＣバージョン（Ｍｅｄｉｕｍ  Ａｃｃｅｓｓ  Ｃｏｎｔｒｏｌ  ｖｅｒｓｉｏｎ）及びＭＩＨ能力（Ｍｅｄｉａ  Ｉｎｄｅｐｅｎｄｅｎｔ  Ｈａｎｄｏｖｅｒ  ｃａｐａｂｉｌｉｔｙ）のような情報が挙げられる。
【０００６】
一般のＭＯＢ＿ＮＢＲ−ＡＤＶメッセージではＩＥＥＥ  ８０２．１６ｅ類型の隣接基地局に関する情報のみを含んでいる。一方、ＩＥＥＥ  ８０２．１６ｅ類型以外の隣接基地局の情報は、ＳＩＩ−ＡＤＶ（Ｓｅｒｖｉｃｅ  Ｉｄｅｎｔｉｔｙ  Ｉｎｆｏｒｍａｔｉｏｎ  ＡＤＶｅｒｔｉｓｅｍｅｎｔ）メッセージを通じて端末にブロードキャストされ、よって、端末は、サービング基地局にＳＩＩ−ＡＤＶメッセージを伝送することを要請することによって、異種網の基地局に関する情報を獲得することができる。
【０００７】
上述の方法により隣接基地局の情報を獲得した端末が、ＩＥＥＥ  ８０２．１６ネットワークでハンドオーバーを行う手順を、図１を参照してより詳しく説明する。
【０００８】
図１は、一般のＩＥＥＥ  ８０２．１６システムで行われるハンドオーバー手順の一例を示す図である。
【０００９】
図１を参照すると、まず、端末（ＭＳ）はサービング基地局（ＳＢＳ）に接続してデータ交換を行うことができる（Ｓ１０１）。
【００１０】
サービング基地局は周期的に、自身の隣接基地局に関する情報を、ＭＯＢ＿ＮＢＲ−ＡＤＶメッセージを通じて端末にブロードキャストすることができる（Ｓ１０２）。
【００１１】
端末はサービング基地局と交信中に、ハンドオーバートリガー（ＨＯ  ｔｒｉｇｇｅｒ）条件を用いて候補基地局（ｃａｎｄｉｄａｔｅ  ＨＯ  ＢＳ）へのスキャンを始めることができる。端末は、ハンドオーバー条件、例えば、所定の履歴マージン（Ｈｙｓｔｅｒｉｓｉｓ  ｍａｒｇｉｎ）値を超えた場合に、ハンドオーバー要請（ＭＯＢ＿ＭＳＨＯ−ＲＥＱ）メッセージを伝送して、サービング基地局にハンドオーバー手順を行うように要請することができる（Ｓ１０３）。
【００１２】
サービング基地局は、ＭＯＢ＿ＭＳＨＯ−ＲＥＱメッセージに含まれている候補基地局（ｃａｎｄｉｄａｔｅ  ＨＯ  ＢＳ）に、ＨＯ−ＲＥＱメッセージを通じて端末のハンドオーバー要請を知らせることができる（Ｓ１０４）。
【００１３】
候補基地局（Ｃａｎｄｉｄａｔｅ  ＨＯ  ＢＳ）は、ハンドオーバーを要請した端末のための事前措置を取り、ハンドオーバーに関連した情報を、ＨＯ−ＲＳＰメッセージを通じてサービング基地局に伝達することができる（Ｓ１０５）。
【００１４】
サービング基地局は、これらの候補基地局からＨＯ−ＲＳＰメッセージを通じて獲得したハンドオーバーに関連した情報を、ハンドオーバー応答（ＭＯＢ＿ＢＳＨＯ−ＲＳＰ）メッセージを通じて端末に伝達することができる。ここで、ＭＯＢ＿ＢＳＨＯ−ＲＳＰメッセージは、ハンドオーバーのための動作時間（Ａｃｔｉｏｎ  Ｔｉｍｅ）、ハンドオーバー識別子（ＨＯ−ＩＤ）及び専用ハンドオーバーＣＤＭＡレンジングコード（Ｄｅｄｉｃａｔｅｄ  ＨＯ  ＣＤＭＡ  ｒａｎｇｉｎｇ  ｃｏｄｅ）などの、ハンドオーバーを行うための情報を含むことができる（Ｓ１０６）。
【００１５】
端末は、サービング基地局から受信したＭＯＢ＿ＢＳＨＯ−ＲＳＰメッセージに含まれた情報に基づいて、候補基地局から一つのターゲット基地局を決定することができる。これにより、端末は、決定されたターゲット基地局にＣＤＭＡコードを伝送してレンジングを試みることができる（Ｓ１０７）。
【００１６】
ＣＤＭＡコードを受信したターゲット基地局は、レンジング応答（ＲＮＧ−ＲＳＰ）メッセージを通じて、レンジングに成功したか否か及び物理補正値を端末に伝送することができる（Ｓ１０８）。
【００１７】
次に、端末は、認証のためのレンジング要請（ＲＮＧ−ＲＥＱ）メッセージをターゲット基地局に伝送することができる（Ｓ１０９）。
【００１８】
端末のレンジング要請メッセージを受信したターゲット基地局は、ＣＩＤ（Ｃｏｎｎｅｃｔｉｏｎ  ＩＤｅｎｔｉｆｉｅｒ）のような、当該基地局で使用可能なシステム情報などを、レンジング応答メッセージを通じて端末に提供することができる（Ｓ１１０）。
【００１９】
ターゲット基地局は、端末の認証を成功的に終え、アップデート情報を全て送ると、端末のサービング基地局に、ハンドオーバー完了メッセージ（ＨＯ−ＣＭＰＴ）を通じて、ハンドオーバーに成功したか否かを知らせることができる（Ｓ１１１）。
【００２０】
以降、端末は、ハンドオーバーを行ったターゲット基地局と情報交換を行うことができる（Ｓ１１２）。
【００２１】
上述のハンドオーバー手順は、ＩＥＥＥ  ８０２．１６ｅ（ＷｉｒｅｌｅｓｓＭＡＮ−ＯＦＤＭＡ  Ｒ１  Ｒｅｆｅｒｅｎｃｅ  Ｓｙｓｔｅｍ）規格に基づく端末と基地局間で行われる場合を仮定している。ＩＥＥＥ  ８０２．１６ｍ（ＷｉｒｅｌｅｓｓＭＡＮ−Ａｄｖａｎｃｅｄ  Ａｉｒ  Ｉｎｔｅｒｆａｃｅ）システムで定義されたハンドオーバー手順では、一部の媒体接続制御（ＭＡＣ：Ｍｅｄｉｕｍ  Ａｃｃｅｓｓ  Ｃｏｎｔｒｏｌ）管理メッセージの種類及びそれに含まれるパラメータが異なってくることがある。例えば、レンジング要請／応答（ＲＮＧ−ＲＥＱ／ＲＳＰ）メッセージは改善レンジング要請／応答（ＡＡＩ−ＲＮＧ−ＲＥＱ／ＲＳＰ）メッセージに取り替えられ、ハンドオーバー応答（ＢＳＨＯ−ＲＳＰ）メッセージはハンドオーバー命令（ＡＡＩ−ＨＯ−ＣＭＤ）メッセージに取り替えられる。
【００２２】
ハンドオーバー手順では、一般に、端末がターゲット基地局に初めて上りリンク信号を直接伝送する時（例えば、Ｓ１０７段階のようなレンジングコードを伝送する時）に最適の伝送電力を知っておらず、システムであらかじめ定義しておいたデフォルト電力で伝送を行うことになる。電力が弱すぎると、信号が正確に伝達されないことがあり、電力が強すぎると、他の端末が伝送した信号と干渉を起こしたり端末のバッテリー消耗を招いたりすることがあるため、最適の上りリンク電力制御は重要な要素である。ＩＥＥＥ  ８０２．１６ｍシステムでは、基地局は、端末から伝送されたレンジングコードに対する応答として、レンジング肯定応答（ＡＡＩ＿ＲＮＧ−ＡＣＫ）メッセージを端末に伝送する。レンジング肯定応答メッセージから、端末は、レンジングコードの検出されたか否か、及び物理補正値などの情報を確認し、レンジングコードの再伝送が必要であるか否かを判断できる。万一、デフォルト電力が現在の端末と基地局間のチャネル環境に適していないと、レンジング肯定応答メッセージにレンジング状態（ｒａｎｇｉｎｇ  ｓｔａｔｕｓ）フィールドは「コンティニュー」と設定され、且つ電力補正値が当該メッセージに含まれる。この場合、端末は、補正値を適用した伝送電力で再びレンジングコードをターゲット基地局に伝送する。このような過程で余計な遅延時間が発生し、これを解決できる効率的な上りリンク電力決定方法が必要である。このような電力制御上の問題点は、端末が、ミックスモードで動作する基地局において領域を変更する場合にも類似に発生することがある。
【発明の概要】
【発明が解決しようとする課題】
【００２３】
本発明は、上記一般的な技術の問題点を解決するために案出されたもので、その目的は、より効率的な上りリンク電力決定方法を定義することにある。
【００２４】
本発明は、特に、ハンドオーバー時にターゲット基地局や、領域変更時にターゲット領域にレンジングを行う際に、上りリンク伝送電力を效率的に決定できる方法を提供する。
【００２５】
本発明で達成しようとする技術的課題は、以上に言及した技術的課題に制限されず、言及していない他の技術的課題は、下の記載から、本発明の属する技術の分野における通常の知識を有する者には明確に理解されるであろう。
【課題を解決するための手段】
【００２６】
上記の技術的課題をなすために、本発明の一実施例に係る広帯域無線接続システムにおいて端末が第１の領域から第２の領域への網再進入のための上りリンク電力制御を行う方法は、前記第１の領域から、前記第２の領域に適用される電力制御パラメータを含む媒体接続制御管理（ＭＡＣ  ｍａｎａｇｅｍｅｎｔ）メッセージを受信することと、前記電力制御パラメータを適用して前記第２の領域にレンジングを行うことと、を含むことができる。
【００２７】
ここで、前記第１の領域はサービング基地局（Ｓ−ＡＢＳ）で、前記第２の領域はターゲット基地局（Ｓ−ＡＢＳ）であり、前記媒体接続制御管理メッセージはハンドオーバー命令（ＡＡＩ−ＨＯ−ＣＭＤ）メッセージであってもよい。
【００２８】
また、前記ハンドオーバー命令メッセージは専用レンジングコードをさらに含み、前記レンジングを行うことは、前記専用レンジングコードを前記ターゲット基地局に伝送することを含んでもよい。
【００２９】
また、前記第１の領域は、ミックスモードで動作する基地局のエルゾーン（ＬＺｏｎｅ）で、前記第２の領域は前記基地局のエムゾーン（ＭＺｏｎｅ）であり、前記媒体接続制御管理メッセージはレンジング応答（ＲＮＧ−ＲＳＰ）メッセージであってもよい。
【００３０】
なお、前記レンジング応答メッセージは、前記エムゾーンで前記端末を臨時に識別するための臨時識別子（ＴＳＴＩＤ）をさらに含み、前記レンジングを行うことは、レンジング要請メッセージを伝送するための上りリンクリソースを要請するための帯域要請（ＢＲ）情報を前記エムゾーンに伝送することを含み、前記帯域要請情報に前記電力制御パラメータが適用されてもよい。
【００３１】
上記の技術的課題を達成するために、本発明の一実施例に係る広帯域無線接続システムにおいてサービング基地局が端末の上りリンク電力制御を考慮してハンドオーバーを支援する方法は、ターゲット基地局から専用レンジングコード及び電力制御情報を受信することと、前記ターゲット基地局に適用される電力制御パラメータ及び前記専用レンジングコードを含むハンドオーバー命令（ＡＡＩ−ＨＯ−ＣＭＤ）メッセージを前記端末に伝送することと、を含むことができる。
【００３２】
上記の技術的課題を達成するために、本発明の一実施例に係る広帯域無線接続システムにおいてミックスモードで動作する基地局が端末の上りリンク電力制御を考慮して領域変更を支援する方法は、第１の領域を通じて、前記端末を第２の領域で識別するための臨時識別子及び前記第２の領域に適用される電力制御パラメータを含むレンジング応答メッセージを前記端末に伝送することと、前記第２の領域を通じて前記臨時識別子を含む帯域要請情報を受信することと、を含むことができる。
【００３３】
上記の技術的課題を達成するために、本発明の一実施例に係る広帯域無線接続システムの第１の領域から第２の領域への網再進入のための上りリンク電力制御を行う改善端末（ＡＭＳ）装置は、プロセッサと、前記プロセッサの制御によって外部と無線信号を送受信するための無線通信（ＲＦ）モジュールと、を備えることができる。ここで、前記プロセッサは、前記第１の領域から前記第２の領域に適用される電力制御パラメータを含む媒体接続制御管理（ＭＡＣ  ｍａｎａｇｅｍｅｎｔ）メッセージが受信されると、該受信された電力制御パラメータを適用して前記第２の領域にレンジングを行うように制御することができる。
【００３４】
ここで、前記第１の領域はサービング基地局（Ｓ−ＡＢＳ）で、前記第２の領域はターゲット基地局（Ｓ−ＡＢＳ）であり、前記媒体接続制御管理メッセージはハンドオーバー命令（ＡＡＩ−ＨＯ−ＣＭＤ）メッセージであってもよい。
【００３５】
また、前記ハンドオーバー命令メッセージは専用レンジングコードをさらに含み、前記プロセッサは、前記専用レンジングコードに前記電力制御パラメータを適用して前記ターゲット基地局に伝送するように制御してもよい。
【００３６】
また、前記第１の領域はミックスモードで動作する基地局のエルゾーン（ＬＺｏｎｅ）で、前記第２の領域は前記基地局のエムゾーン（ＭＺｏｎｅ）であり、前記媒体接続制御管理メッセージはレンジング応答（ＲＮＧ−ＲＳＰ）メッセージであってもよい。
【００３７】
なお、前記レンジング応答メッセージは、前記エムゾーンで前記端末装置を臨時に識別するための臨時識別子（ＴＳＴＩＤ）をさらに含み、前記プロセッサは、前記レンジング要請メッセージを伝送するための上りリンクリソースを要請するための帯域要請（ＢＲ）情報に前記電力制御パラメータを適用して前記エムゾーンに伝送するように制御してもよい。
【００３８】
一方、上述の実施例において、前記電力制御パラメータは、周波数分割の熱対比干渉（ｉｏｔＦＰ）値及びオフセットコントロール（ｏｆｆｓｅｔＣｏｎｔｒｏｌ）値を含んでもよい。
【発明の効果】
【００３９】
本発明の実施例によれば、下記の効果が得られる。
【００４０】
第一に、本発明の実施例によれば、端末は、ハンドオーバー時にレンジングコードの伝送電力を效率的に決定することができる。
【００４１】
第二に、本発明の実施例によれば、端末は、領域変更時にターゲット領域への帯域要請のための伝送電力を效率的に決定することができる。
【００４２】
本発明で得られる効果は、以上に言及した効果に制限されず、言及していない他の効果は、下の記載から、本発明の属する技術の分野における通常の知識を有する者であれば明確に理解されるであろう。
【図面の簡単な説明】
【００４３】
【図１】ＩＥＥＥ  ８０２．１６ｅシステムで行われるハンドオーバー手順の一例を示す図である。
【図２】本発明の一実施例に係る移動端末機がターゲット基地局に伝送するレンジングコードの伝送電力を效率的に決定してハンドオーバーを行う過程の一例を示す図である。
【図３】本発明の一実施例に係る移動端末機が行う領域変更手順の一例を示すフローチャートである。
【図４】本発明の一実施例に係る移動端末機が行う領域変更手順の他の例を示すフローチャートである。
【図５】本発明の一実施例に係る移動端末機が領域変更を行う際に、伝送電力を制御してレンジングを行う形態の一例を示すフローチャートである。
【図６】本発明の他の実施例であって、送信端及び受信端の構造の一例を示すブロック図である。
【発明を実施するための形態】
【００４４】
以下の実施例は、本発明の構成要素及び特徴を所定の形態で結合したものである。各構成要素または特徴は、別に明示しない限り、選択的なものと考慮すればよい。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００４５】
本明細書では、本発明の実施例を、基地局と端末との間におけるデータ送受信の関係を中心に説明した。ここで、基地局は、端末と通信を直接行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００４６】
すなわち、基地局を含む複数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われ得るということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、またはＳＳ（Ｓｕｂｓｃｒｉｂｅｒ  Ｓｔａｔｉｏｎ）などの用語に代えてもよい。
【００４７】
より具体的に、本明細書では、便宜上、ＩＥＥＥ  ８０２．１６ｅ規格を含む一般の技術が適用されるシステムを「レガシーシステム（ｌｅｇａｃｙ  ｓｙｓｔｅｍ）」または「Ｒ１  ｓｙｓｔｅｍ」と呼ぶ。また、レガシー技術が適用される端末を「レガシー端末」または「Ｒ１  ＭＳ」、レガシー技術が適用される基地局を「レガシー基地局」または「Ｒ１  ＢＳ」とそれぞれ呼ぶ。なお、一般の技術が適用される端末または基地局の動作モードを「レガシーモード」と呼ぶ。
【００４８】
また、ＩＥＥＥ  ８０２．１６ｍ規格（ＷｉｒｅｌｅｓｓＭＡＮ−ＯＦＤＭＡ  Ａｄｖａｎｃｅｄ  Ａｉｒ  Ｉｎｔｅｒｆａｃｅ）を含む、一般の技術よりも進展した技術が適用される端末を、「ＡＭＳ（Ａｄｖａｎｃｅｄ  ＭＳ）」または「改善端末」と呼び、進展した技術が適用される基地局を、「ＡＢＳ（Ａｄｖａｎｃｅｄ  ＢＳ）」または「改善基地局」と呼ぶ。なお、進展した技術が適用される端末または基地局の動作モードを「改善モード」と呼ぶ。
【００４９】
改善基地局にはＡＭＳとＹＭＳの両方を支援するＡＢＳ（ＷｉｒｅｌｅｓｓＭＡＮ−ＯＦＤＭＡ  Ｒ１  Ｒｅｆｅｒｅｎｃｅ  Ｓｙｓｔｅｍ／ＷｉｒｅｌｅｓｓＭＡＮ−ＯＦＤＭＡ  Ａｄｖａｎｃｅｄ  ｃｏ−ｅｘｉｓｔｉｎｇ  Ｓｙｓｔｅｍ）もある。このようにＡＭＳとＹＭＳの両方を支援する、すなわち、レガシーモードも改善モードも支援するＡＢＳを「ミックスモード基地局」と呼び、このような基地局の動作モードを「ミックスモード」と呼ぶ。
【００５０】
Ｒ１  ＢＳは、レガシーシステムに適用される物理チャネルフレーム構造を有するレガシー領域のみ（ＬＺｏｎｅ：Ｌｅｇａｃｙ  Ｚｏｎｅ）を有しており、ＡＢＳはＡＭＳのみを支援する場合（ＷｉｒｅｌｓｓＭＡＮ−ＯＦＤＭＡ  ａｄｖａｎｃｅｄ  ｓｙｓｔｅｍ  ｏｎｌｙ）、改善システムに適用される物理チャネルフレーム構造を有する改善端末支援領域（ＭＺｏｎｅ：１６Ｍ  Ｚｏｎｅ）のみを有すると仮定する。また、ＡＭＳ及びＲ１  ＭＳの両方を支援するＡＢＳ（ＷｉｒｅｌｅｓｓＭＡＮ−ＯＦＤＭＡ  Ｒ１  Ｒｅｆｅｒｅｎｃｅ  Ｓｙｓｔｅｍ／ＷｉｒｅｌｅｓｓＭＡＮ−ＯＦＤＭＡ  Ａｄｖａｎｃｅｄ  ｃｏ−ｅｘｉｓｔｉｎｇ  Ｓｙｓｔｅｍ：ｌｅｇａｃｙ  ｓｕｐｐｏｒｔｉｖｅ）は、レガシー領域と改善端末支援領域の両方を有し、上りリンク及び下りリンクのそれぞれにおいて時間単位、例えば、フレームまたはサブフレーム単位に区分（ＴＤＤ：Ｔｉｍｅ  Ｄｉｖｉｓｉｏｎ  Ｄｕｐｌｅｘ）されていると仮定する。
【００５１】
なお、ＡＭＳは、ＡＢＳ及びＲ１  ＢＳのいずれからもサービスを受けることができると仮定する。すなわち、ＡＭＳは、改善端末支援領域及びレガシー領域のいずれか一方を通じてサービスを受けることができ、レガシーシステムで定義されたハンドオーバー過程も、改善システムで定義されたハンドオーバー過程も行うことができると仮定する。
【００５２】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００５３】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【００５４】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【００５５】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示されている標準文書でサポートできる。すなわち、本発明の実施例において、本発明の技術的思想を明確にするために説明を省略した段階または部分は、上記の文書でサポートできる。また、本文書で開示している用語はいずれも、上記の標準文書により説明することができる。特に、本発明の実施例は、ＩＥＥＥ  ８０２．１６システムの標準文書であるＰ８０２．１６−２００５、Ｐ８０２．１６ｅ−２００９及びＰ８０２．１６Ｒｅｖ２及びＰ８０２．１６ｍ文書の少なくとも一つでサーボートできる。
【００５６】
以下の説明で用いられる特定用語は、本発明の理解を助けるために提供されているもので、これらの特定用語の使用は、本発明の技術的思想から逸脱しない範囲で他の形態に変更されてもよい。
【００５７】
（一般の上りリンク伝送電力制御手順）
以下、ＩＥＥＥ  ８０２．１６ｍシステムにおいて上りリンク電力制御（ＵＬＰＣ）手順を説明する。
上りリンク電力制御は、セル間干渉レベルを制御することを目的とする。したがって、上りリンク電力制御は、データ損失を防止するために、最初調整（ｉｎｉｔｉａｌ  ｃａｌｉｂｒａｔｉｏｎ）と周期的調整（ｐｅｒｉｏｄｉｃ  ａｄｊｕｓｔｍｅｎｔ）を支援する。また、上りリンク電力アルゴリズムは、経路損失（ｐａｔｈｌｏｓｓ）、陰影化（ｓｈａｄｏｗｉｎｇ）及び高速フェーディング（ｆａｓｔ  ｆａｄｉｎｇ）などを補償してＯＦＤＭシンボルの伝送電力を決定するようにする。
【００５８】
送信端として動作する端末は、伝送電力密度（ｔｒａｎｓｍｉｔｔｅｄ  ｐｏｗｅｒ  ｄｅｎｓｉｔｙ）を最大パワーレベルに至るまで維持しなければならない。すなわち、ユーザーに割り当てられるアクティブ論理リソースユニット（ａｃｔｉｖｅ  ＬＲＵ）の数字が減少すると、追加の電力制御パラメータ変更がない限り、端末の全体伝送電力はＬＲＵ数字の減少に比例して減少する。逆に、ＬＲＵの数が増加すると、増加に比例して端末の全体伝送電力は増加する。しかし、伝送電力レベルは、信号完全性や規定要求事項による最大電力レベルを超えることができない。
【００５９】
端末は、端末基本能力要請（ＡＡＩ−ＳＢＣ−ＲＥＱ）メッセージの最大伝送電力フィールド（ＭＡＸ  Ｔｘ  Ｐｏｗｅｒ  ｆｉｅｌｄ）を通じて、初期網進入のためのキャリアの最大可能電力を基地局に報告する。干渉レベル制御のために、各基地局の現在干渉レベルが他の基地局と共有されてもよい。サブキャリア当たり電力及びストリーム当たり電力を、下記の式１のように計算することができる。
【００６０】
【数１】
2013545394.tif 000003
式１で、Ｐは、現在伝送においてストリーム当たり／キャリア当たり伝送電力レベル（ＴＸ  ｐｏｗｅｒ  ｌｅｖｅｌ）を意味し、Ｌは、端末が計算した経路伝達損失に関連したパラメータであり、ＮＩは、基地局における雑音と干渉の予想平均電力レベルを意味する。また、Ｏｆｆｓｅｔは、端末特定の電力補正値であり、ＳＩＮＲＴａｒｇｅｔは、基地局における目標上りリンク信号対干渉及び雑音比（ＳＩＮＲ）を意味する。
【００６１】
網初期／再進入時には、成功的な初期レンジング手順が行われた後、基地局は、ＣＤＭＡ割当マップ情報要素（ＣＤＭＡ  Ａｌｌｏｃａｔｉｏｎ  Ａ−ＭＡＰ  ＩＥ）を端末に伝送するが、このようなマップ情報要素には雑音／干渉の予測平均パワーレベル（ＮＩ）やオフセットコントロール（ＯｆｆｓｅｔＣｏｎｔｒｏｌ）のようなキーパラメータ（ｋｅｙ  ｐｏｗｅｒ  ｃｏｎｔｒｏｌ  ｐａｒａｍｅｔｅｒ）が含まれる。このＣＤＭＡキーパラメータを端末がＣＤＭＡ  Ａｌｌｏｃａｔｉｏｎ  Ａ−ＭＡＰ  ＩＥを通じて成功的に獲得した場合、当該パラメータを上りリンク電力制御に適用する。他の上りリンク電力制御パラメータはデフォルト値を用いる。
【００６２】
下記の表１に、デフォルト上りリンク電力制御パラメータの一例を示す。
【００６３】
【表１】
2013545394.tif 000004
ただし、上述した電力制御は、初期レンジング手順が成功的に行われることを仮定するので、初期レンジング手順において端末が効率的に上りリンク伝送電力を決定できる方法が望まれる。
【００６４】
以下、本発明に係る効率的な上りリンク伝送電力を端末が決定できる方法を説明する。
【００６５】
（ハンドオーバー手順における電力制御）
まず、本発明に係るハンドオーバー状況での上りリンク伝送電力制御方法を説明する。
【００６６】
本発明の一実施例では、ハンドオーバー手順において端末がレンジング実行のための上りリンク伝送電力を制御する際に、サービング基地局から、ターゲット基地局に伝送される上りリンク信号に適用される伝送電力パラメータを獲得し、これを伝送電力制御に適用することを提案する。
【００６７】
ここで、ターゲット基地局に伝送される上りリンク信号に適用される伝送電力パラメータは、ｉｏｔＦＰ及びオフセットコントロール（ｏｆｆｓｅｔＣｏｎｔｒｏｌ）値であることが好ましい。ｉｏｔＦＰは、端末リソース割当のために用いられる周波数分割の熱対比干渉値（Ｉｎｔｅｒｆｅｒｅｎｃｅ  ｏｖｅｒ  Ｔｈｅｒｍａｌ  ｖａｌｕｅ  ｏｆ  Ｆｒｅｑｕｅｎｃｙ  Ｐａｒｔｉｔｉｏｎ）を意味し、ｏｆｆｓｅｔＣｏｎｔｒｏｌは、０．５ｄＢ単位に設定される電力オフセット値を意味する。これらの伝送電力パラメータは、バックボーン網を介したサービング基地局とターゲット基地局との情報交換により決定可能である。
【００６８】
上述したような伝送電力パラメータは、ハンドオーバー過程でハンドオーバー命令（ＡＡＩ−ＨＯ−ＣＭＤ）メッセージに含まれて端末に伝送されてよい。ハンドオーバー命令メッセージには、端末がターゲット基地局へのＣＤＭＡレンジングコードを用いたレンジングを行うべきか否かを指示するフィールド（すなわち、ＣＤＭＡ＿ＲＮＧ＿ＦＬＡＧ）が存在する。ＣＤＭＡ＿ＲＮＧ＿ＦＬＡＧフィールドが０に設定されると、端末は、ＣＤＭＡコードを用いたレンジングを行うことなく、レンジング要請メッセージをターゲット基地局に伝送し、ＣＤＭＡ＿ＲＮＧ＿ＦＬＡＧフィールドが１に設定されると、端末は、ＣＤＭＡコードを用いたレンジングをターゲット基地局に対して行う。以下では、本発明の一実施例に係るハンドオーバー手順を、ＣＤＭＡ＿ＲＮＧ＿ＦＬＡＧフィールドの値別に説明する。
【００６９】
１）（ＣＤＭＡ＿ＲＮＧ＿ＦＬＡＧフィールドが０の場合）
ＡＡＩ−ＨＯ−ＣＭＤメッセージのＣＤＭＡ＿ＲＮＧ＿ＦＬＡＧフィールドが０に設定されていると、端末は、ターゲット基地局に対してＣＤＭＡレンジングコードを用いたレンジングを行わない。その代わり、端末は、ＡＡＩ−ＨＯ−ＣＭＤメッセージに含まれた伝送電力関連パラメータ（例えば、オフセットデータ値及び／またはオフセットコントロール値）によって上りリンク伝送電力を制御する。ＡＡＩ−ＨＯ−ＣＭＤメッセージに含まれていない伝送電力関連パラメータについては、サービング基地局に適用していた上りリンク伝送電力パラメータ値をそのままターゲット基地局に適用すればいい。
【００７０】
２）（ＣＤＭＡ＿ＲＮＧ＿ＦＬＡＧフィールドが１の場合）
ＡＡＩ−ＨＯ−ＣＭＤメッセージのＣＤＭＡ＿ＲＮＧ＿ＦＬＡＧフィールドが１に設定された場合には、さらに、専用レンジングコード（ｄｅｄｉｃａｔｅｄ  ＣＤＭＡ  ｒａｎｇｉｎｇ  ｃｏｄｅ）が当該メッセージに含まれたか否かによって、手順が異なってくることがある。
【００７１】
専用レンジングコードが含まれていないと、端末は、上述した一般の上りリンク電力制御手順によって上りリンク伝送電力を決定することができる。
【００７２】
一方、専用レンジングコードが含まれていると、端末は、専用レンジングコード伝送に適用される上りリンク伝送電力パラメータのうち、ｉｏｔＦＰ値及びオフセットコントロール（ｏｆｆｓｅｔＣｏｎｔｒｏｌ）値を、ＡＡＩ−ＨＯ−ＣＭＤメッセージに含まれた値に設定すればいい。すなわち、基地局は、ＡＡＩ−ＨＯ−ＣＭＤメッセージに専用レンジングコードが含まれる場合に、ｉｏｔＦＰ値及びｏｆｆｓｅｔＣｏｎｔｒｏｌ値を当該メッセージに含めることができる。ｉｏｔＦＰ値及びオフセットコントロール（ｏｆｆｓｅｔＣｏｎｔｒｏｌ）値以外の残り上りリンク伝送電力制御パラメータは、上述した一般の上りリンク電力制御手順によって決定することができる。もちろん、残りパラメータは、サービング基地局に適用された値をそのまま用いてもよい。
【００７３】
上述したように、ＡＡＩ−ＨＯ−ＣＭＤメッセージのＣＤＭＡ＿ＲＮＧ＿ＦＬＡＧフィールドが１に設定され、且つ専用レンジングコードが含まれた場合のハンドオーバー過程を、図２を参照して説明する。
【００７４】
図２は、本発明の一実施例に係る移動端末機がターゲット基地局に伝送するレンジングコードの伝送電力を效率的に決定してハンドオーバーを行う過程の一例を示す。
【００７５】
図２を参照すると、端末は、サービング基地局とのデータ交換中（Ｓ２０１）に、ハンドオーバートリガー条件を満たすことから、サービング基地局にハンドオーバー要請（ＡＡＩ−ＨＯ−ＲＥＱ）メッセージを伝送する（Ｓ２０２）。
【００７６】
すると、サービング基地局はターゲット基地局と情報を交換し、ターゲット基地局の専用レンジングコードを獲得し、ターゲット基地局に適用されるｉｏｔＦＰ値及びｏｆｆｓｅｔＣｏｎｔｒｏｌ値を決定することができる。
【００７７】
サービング基地局は端末に、ｉｏｔＦＰ値、ｏｆｆｓｅｔＣｏｎｔｒｏｌ値及び専用レンジングコードを含むハンドオーバー命令（ＡＡＩ−ＨＯ−ＣＭＤ）メッセージを伝送する（Ｓ２０３）。この時、ハンドオーバー命令メッセージのＣＤＭＡ＿ＲＮＧ＿ＦＬＡＧ値は１に設定される。そのためのＡＡＩ−ＨＯ−ＣＭＤメッセージ形態の一例は、下記の表２の通りである。
【００７８】
表２は、本発明の一実施例に係る上りリンク伝送電力制御のためのパラメータがＡＡＩ−ＨＯ−ＣＭＤメッセージに含まれる形態の一例を示す。
【００７９】
【表２】
2013545394.tif 000005
表２を参照すると、専用ＣＤＭＡレンジングコードがＡＡＩ−ＨＯ−ＣＭＤメッセージに含まれる場合に、ｉｏｔＦＰ及びｏｆｆｓｅｔＣｏｎｔｒｏｌ値も当該メッセージに含まれる。
【００８０】
ハンドオーバー命令メッセージにＣＤＭＡ＿ＲＮＧ＿ＦＬＡＧ値が１に設定され、且つ専用レンジングコードが含まれているため、端末は、専用レンジングコードを用いてターゲット基地局にＣＤＭＡレンジングを試みる（Ｓ２０４）。この時、専用レンジングコード伝送に適用される上りリンク伝送電力制御パラメータのうち、ｉｏｔＦＰ値及びｏｆｆｓｅｔＣｏｎｔｒｏｌ値はＡＡＩ−ＨＯ−ＣＭＤメッセージに含まれた値を用いる。
【００８１】
基地局は、端末が伝送した専用レンジングコードを成功的に受信した場合、レンジング状態（ｒａｎｇｉｎｇ  ｓｔａｔｕｓ）フィールドを「ｓｕｃｃｅｓｓ」に設定して端末に伝送する（Ｓ２０５）。
【００８２】
これにより、端末はターゲット基地局とレンジング要請／応答メッセージを交換し（Ｓ２０６、Ｓ２０７）、ターゲット基地局への網再進入手順を完了し、正常にデータ交換を行うことができる（Ｓ２０８）。
【００８３】
（領域変更手順における上りリンク電力制御）
以下では、本発明に係る領域変更手順における上りリンク電力制御方法を説明する。
【００８４】
本発明に係る上りリンク電力制御方法を説明する前に、ＩＥＥＥ  ８０２．１６ｍシステムで行われる領域変更手順を、図３及び図４を参照して説明する。
【００８５】
図３は、本発明の一実施例に係る移動端末機が行える領域変更手順の一例を示すフローチャートである。
【００８６】
図３を参照すると、端末（ＡＭＳ）は、レガシーサービング基地局と通信中に、ハンドオーバートリガー（ＨＯ  ｔｒｉｇｇｅｒ）条件を用いて候補基地局（ｃａｎｄｉｄａｔｅ  ＨＯ  ＢＳ）へのスキャンを始めることができる。端末は、ハンドオーバー条件、例えば、所定の履歴マージン（Ｈｙｓｔｅｒｉｓｉｓ  ｍａｒｇｉｎ）値を超えた場合、ハンドオーバー要請（ＭＯＢ＿ＭＳＨＯ−ＲＥＱ）メッセージを伝送し、サービング基地局にハンドオーバー手順を行うことを要請することができる（Ｓ３０１）。
【００８７】
サービング基地局は、候補基地局から獲得したハンドオーバーに関連した情報を、ハンドオーバー応答（ＭＯＢ＿ＢＳＨＯ−ＲＳＰ）メッセージを通じて端末に伝達することができる。ここで、ＭＯＢ＿ＢＳＨＯ−ＲＳＰメッセージは、ハンドオーバーのための動作時間（Ａｃｔｉｏｎ  Ｔｉｍｅ）、ハンドオーバー識別子（ＨＯ−ＩＤ）及び専用ハンドオーバーＣＤＭＡレンジングコード（Ｄｅｄｉｃａｔｅｄ  ＨＯ  ＣＤＭＡ  ｒａｎｇｉｎｇ  ｃｏｄｅ）などの、ハンドオーバーを行うための情報を含むことができる（Ｓ３０２）。
【００８８】
端末は、サービング基地局から受信したＭＯＢ＿ＢＳＨＯ−ＲＳＰメッセージに含まれた情報に基づいて、候補基地局のうち、レガシー支援ＡＢＳをターゲット基地局と決定することができる。これにより、端末は、サービングレガシー基地局にハンドオーバー指示メッセージを伝送することができる（Ｓ３０３）。
【００８９】
その後、端末は、ターゲット基地局のエルゾーン（以下、「ＬＺｏｎｅ」ともいう。）にレンジング要請（ＲＮＧ−ＲＥＱ）メッセージを伝送する（Ｓ３０４）。
【００９０】
この時、レンジング要請メッセージは端末の媒体接続制御バージョン（ＭＡＣ  ｖｅｒｓｉｏｎ）情報を含むことができ、その値はＡＭＳに該当する値に設定される。また、レンジング要請メッセージに、端末が実行可能な領域変更の形態を指示する領域変更能力（Ｚｏｎｅ  Ｓｗｉｔｃｈ  Ｃａｐａｂｉｌｉｔｙ）フィールドを含むことができる。
【００９１】
基地局は、レンジング要請メッセージに含まれたＭＡＣバージョン情報、領域変更能力フィールドまたは以前サービングレガシー基地局から獲得した情報から、レンジングメッセージを伝送した端末が改善端末（ＡＭＳ）であることが確認でき、エムゾーン（以下、「ＭＺｏｎｅ」ともいう。）へと領域変更を行うようにすることができる。
【００９２】
そのために、ターゲット基地局は、領域変更のために端末に要求される情報（Ｚｏｎｅ  ｓｗｉｔｃｈ  ＴＬＶ、以下「ＺＳ  ＴＬＶ」という。）を含むレンジング応答（ＲＮＧ−ＲＳＰ）メッセージを端末に伝送する（Ｓ３０５）。
【００９３】
このＺＳ  ＴＬＶは、下記の表３のような情報を含むことができる。
【００９４】
表３に、本発明に係るＲＮＧ−ＲＳＰメッセージに含まれるＺＳ  ＴＬＶ情報の一例を示す。
【００９５】
【表３】
2013545394.tif 000006
表３を参照すると、ＺＳ  ＴＬＶには、ＭＺｏｎｅで用いられるプリアンブルインデックス（ＭＺｏｎｅ  Ａ−Ｐｒｅａｍｂｌｅ  ｉｎｄｅｘ）情報、ＴＤＤフレーム構造でＬＺｏｎｅとＭＺｏｎｅとの区分境界（または比率）を表すタイムオフセット（Ｔｉｍｅ  ｏｆｆｓｅｔ）情報、領域変更過程で端末がＬＺｏｎｅとの接続を維持するか否かを指示する領域変更モード（Ｚｏｎｅ  Ｓｗｉｔｃｈ  Ｍｏｄｅ）情報、ＭＺｏｎｅで臨時的に端末を識別するための臨時ステーション識別子（Ｔｅｍｐｏｒａｒｙ  ＳＴＩＤ）情報、及び臨時ステーション識別子の有効時間を表すレンジング開始限界点（Ｒａｎｇｉｎｇ  ｉｎｉｔｉａｔｉｏｎ  ｄｅａｄｌｉｎｅ）情報などが含まれている。この他にも、表１に示していないが、保安キー（ＰＭＫ）生成のためのノンス＿基地局（ＮＯＮＣＥ＿ＡＢＳ）値が含まれてもよい。
【００９６】
続いて、端末は、ＺＳ  ＴＬＶに含まれた情報を用いてターゲットＡＢＳのＭＺｏｎｅと同期化を行い（Ｓ３０６）、領域変更を行うためにレンジング要請（ＡＡＩ＿ＲＮＧ−ＲＥＱ）メッセージを伝送するための上りリンクリソースを要請（ＢＲ  ｒｅｑｕｅｓｔ  ｆｏｒ  ＡＡＩ＿ＲＮＧ−ＲＥＱ）する（図示せず）。
【００９７】
ＭＺｏｎｅから、要請した上りリンクリソースが割り当てられると、端末は、ＭＺｏｎｅにレンジング要請（ＡＡＩ＿ＲＮＧ−ＲＥＱ）メッセージを伝送する（Ｓ３０７）。この時、レンジング要請メッセージのレンジング目的指示（Ｒａｎｇｉｎｇ  Ｐｕｒｐｏｓｅ  Ｉｎｄｉｃａｔｉｏｎ）フィールドの値は、ＬＺｏｎｅからＭＺｏｎｅへの領域変更を指示する値（例えば、０ｂ１０１０）に設定される。
【００９８】
ターゲットＡＢＳは、端末が伝送したレンジング要請メッセージに対する応答としてレンジング応答（ＡＡＩ＿ＲＮＧ−ＲＳＰ）メッセージを端末に伝送する（Ｓ３０８）。
【００９９】
その後、端末は、ＭＺｏｎｅへの領域変更を終え、ＭＺｏｎｅを通じてターゲットＡＢＳと正常な通信を行うことができる（Ｓ３０９）。
【０１００】
図３を参照して上述した方法は、端末がターゲット基地局のＬＺｏｎｅへの網再進入を終えない状態でＭＺｏｎｅへの領域変更を行っているが、端末がＬＺｏｎｅへの網再進入を終えた後、ＭＺｏｎｅへの領域変更を行うこともできる。これを、図４を参照して説明する。
【０１０１】
図４は、本発明の一実施例に係る移動端末機が行える領域変更手順の他の例を示すフローチャートである。
【０１０２】
図４で、Ｓ４０１乃至Ｓ４０４の過程は、図３のＳ３０１乃至Ｓ３０４の過程と略同様であり、明細書の簡明さのために、重複する説明は省略するものとする。
【０１０３】
端末からＲＮＧ−ＲＥＱメッセージを受信したターゲット基地局は、レンジング要請メッセージに含まれたＭＡＣバージョン情報や以前サービングレガシー基地局から獲得した情報から、レンジングメッセージを伝送した端末が改善端末（ＡＭＳ）であることが確認でき、ＭＺｏｎｅに領域変更を行うようにすることができる。ただし、ターゲット基地局は、ＬＺｏｎｅとＭＺｏｎｅ間の負荷バランシング（Ｌｏａｄ  ｂａｌａｎｃｉｎｇ）などの理由から、端末の領域変更を留保することができる。
【０１０４】
そのため、ターゲット基地局は、ＺＳ  ＴＬＶが含まれていないレンジング応答（ＲＮＧ−ＲＳＰ）メッセージを端末に伝送し（Ｓ４０５）、端末は、ターゲット基地局のＬＺｏｎｅへの網再進入を終え、正常な通信を行うことができる（Ｓ４０６）。
【０１０５】
以降、ターゲット基地局が当該端末にＭＺｏｎｅへの領域変更を指示することを決定した場合、ＺＳ  ＴＬＶを含むレンジング応答（ＲＮＧ−ＲＳＰ）メッセージを、非要請で（ｕｎｓｏｌｉｃｉｔｅｄ）端末に伝送することができる（Ｓ４０７）。
【０１０６】
すると、端末は、ＺＳ  ＴＬＶに含まれた情報を用いてターゲットＡＢＳのＭＺｏｎｅと同期化を行い（Ｓ４０８）、領域変更を行うためにレンジング要請（ＡＡＩ＿ＲＮＧ−ＲＥＱ）メッセージを伝送するための上りリンクリソースを要請（ＢＲ  ｒｅｑｕｅｓｔ  ｆｏｒ  ＡＡＩ＿ＲＮＧ−ＲＥＱ）をする（図示せず）。
【０１０７】
ＭＺｏｎｅから、要請した上りリンクリソースが割り当てられると、端末はＭＺｏｎｅにレンジング要請（ＡＡＩ＿ＲＮＧ−ＲＥＱ）メッセージを伝送する（Ｓ４０９）。この時、レンジング要請メッセージのレンジング目的指示（Ｒａｎｇｉｎｇ  Ｐｕｒｐｏｓｅ  Ｉｎｄｉｃａｔｉｏｎ）フィールドの値は、ＬＺｏｎｅからＭＺｏｎｅへの領域変更を指示する値（例えば、０ｂ１０１０）に設定される。
【０１０８】
ターゲットＡＢＳは、端末が伝送したレンジング要請メッセージに対する応答としてレンジング応答（ＡＡＩ＿ＲＮＧ−ＲＳＰ）メッセージを端末に伝送する（Ｓ４１０）。
【０１０９】
以降、端末はＭＺｏｎｅへの領域変更を終え、ＭＺｏｎｅを通じてターゲットＡＢＳと正常な通信を行うことができる（Ｓ４１１）。
【０１１０】
図３及び図４を参照して上述した手順は、ハンドオーバー過程の一つとして領域変更が行われる形態を説明した。したがって、実質的な領域変更手順は、図３ではＳ３０５乃至Ｓ３０９段階と見なすことができ、図４ではＳ４０７乃至Ｓ４１１段階と見なすことができる。
【０１１１】
本発明の一実施例の他の様相では、ハンドオーバー手順において端末が領域変更時にＭＺｏｎｅへのレンジング実行のための上りリンク伝送電力を制御する際に、ＬＺｏｎｅから、ＭＺｏｎｅに伝送される上りリンク信号に適用される伝送電力パラメータを獲得し、これを伝送電力制御に適用することを提案する。すなわち、ミックスモードで動作する基地局は、ＬＺｏｎｅを通じて、ＭＺｏｎｅに適用される上りリンク電力制御パラメータを端末にあらかじめ知らせることを提案する。
【０１１２】
ここで、ＭＺｏｎｅに伝送される上りリンク信号に適用される上りリンク電力制御パラメータは、ｉｏｔＦＰ及びオフセットコントロール（ｏｆｆｓｅｔＣｏｎｔｒｏｌ）値であるのが好ましい。ｉｏｔＦＰ及びオフセットコントロールのような電力制御パラメータは、領域変更過程においてＬＺｏｎｅを通じて伝送されるレンジング応答（ＲＮＧ−ＲＳＰ）メッセージにＺＳ−ＴＬＶの形態で含まれてよい。特に、このような電力制御パラメータは、ＺＳ−ＴＬＶに、ＭＺｏｎｅで端末を臨時に識別するための臨時ステーション識別子（ＴＳＴＩＤ）が含まれる時に有用である。具体的に、ＺＳ−ＴＬＶにＴＳＴＩＤ及び電力制御パラメータが含まれる場合に、ＣＤＭＡレンジングが省略され、直接ＭＺｏｎｅに改善レンジング要請メッセージを伝送するための上りリンクリソースを要請（ＢＲ：Ｂａｎｄｗｉｄｔｈ  Ｒｅｑｕｅｓｔ）する時、ＢＲに適用される上りリンク電力制御に当該パラメータを適用することができる。ＢＲは、帯域要請ヘッダー（ＢＲ  Ｈｅａｄｅｒ）や帯域要請メッセージ（ＢＲ  ｍｅｓｓａｇｅ）の伝送またはピギーバック（ｐｉｇｇｙｂａｃｋ）方式で行えばよい。
【０１１３】
一方、上述した方法は、ＭＺｏｎｅに対するＣＤＭＡレンジング無しで直接ＢＲを行い、それに応じたリソースが割り当てられると、レンジング要請メッセージを伝送する場合を仮定する。もし、ＺＳ−ＴＬＶに専用ＣＤＭＡレンジングコードが含まれる場合では、端末は、専用レンジングコードをＭＺｏｎｅに伝送しながらＺＳ−ＴＬＶに含まれた電力制御パラメータをコード伝送に適用することができる。レンジングコード伝送が成功的に完了すると、端末は、ＡＡＩ−ＲＮＧ−ＲＥＱメッセージをＭＺｏｎｅに伝送し、ＺＳ−ＴＬＶにＴＳＴＩＤが含まれる場合はＡＡＩ−ＲＮＧ−ＲＥＱメッセージにそれを含めて伝送する。
【０１１４】
以上ではＣＤＭＡレンジングを行うか否かによって２つの手順に分けて電力制御方法を説明した。両手順とも、ＺＳ−ＴＬＶに含まれるｉｏｔＦＰ及びｏｆｆｓｅｔＣｏｎｔｒｏｌ以外の残り上りリンク電力制御パラメータは、ＬＺｏｎｅで適用されていた値をそのままＭＺｏｎｅに適用可能である。上述した２つの手順による領域変更方法を、図５を参照してより詳しく説明する。
【０１１５】
図５は、本発明の一実施例に係る移動端末機が領域変更を行う際に、伝送電力を制御してレンジングを行う形態の一例を示すフローチャートである。
【０１１６】
図５は、図３のＳ３０４段階以降、または図４のＳ４０６段階以降の過程であると仮定する。
【０１１７】
まず、端末は、ミックスモードで動作する基地局のＬＺｏｎｅから、レンジング応答メッセージを通じてｉｏｔＦＰ及びｏｆｆｓｅｔＣｏｎｔｒｏｌなどの上りリンク電力制御パラメータを含むＺＳ−ＴＬＶ情報を獲得することかできる（Ｓ５０１）。
【０１１８】
万一、ＺＳ−ＴＬＶ情報に専用レンジングコード（ｄｅｄｉｃａｔｅｄ  ＣＤＭＡ  ｒａｎｇｉｎｇ  ｃｏｄｅ）が含まれた場合には、当該レンジングコードに獲得した電力制御パラメータを適用してＭＺｏｎｅに伝送する（Ｓ５０２）。基地局は、レンジングコードに対する応答としてレンジング肯定応答（ＡＡＩ−ＲＮＧ−ＡＣＫ）メッセージを、ＭＺｏｎｅを通じて端末に伝送する（Ｓ５０３）。
【０１１９】
ＺＳ−ＴＬＶ情報に専用レンジングコードが含まれておらず、且つ電力制御パラメータと共にＴＳＴＩＤが含まれている場合は、端末は、ＣＤＭＡレンジング手順を省略し、ＴＳＴＩＤを用いてＭＺｏｎｅに帯域要請を直接行う（Ｓ５０４）。この時、帯域要請（ＢＲ）にはＺＳ−ＴＬＶに含まれた上りリンク電力制御パラメータが適用される。
【０１２０】
その後、端末は、基地局からＢＲに応じたリソースが割り当てられると、当該リソースを用いてＭＺｏｎｅにレンジング要請（ＡＡＩ−ＲＮＧ−ＲＥＱ）メッセージを伝送し（Ｓ５０５）、それに対する応答としてレンジング応答（ＡＡＩ−ＲＮＧ−ＲＳＰ）メッセージを受信する（Ｓ５０６）。
【０１２１】
レンジング手順が成功的に完了した後、残りの網再進入手順を終えると、端末は、ＭＺｏｎｅへの網再進入を完了し、正常なデータ交換を行うことができる（Ｓ５０７）。
【０１２２】
以上では本発明に係るハンドオーバー及び領域変更過程における上りリンク電力制御方法を説明した。ハンドオーバーや領域変更を用いた網再進入が完了すると、システム設定記述子（ＡＡＩ−ＳＣＤ：Ｓｙｓｔｅｍ  Ｃｏｎｆｉｇｕｒａｔｉｏｎ  Ｄｅｓｃｒｉｐｔｏｒ）メッセージ、上りリンク電力制御雑音／干渉（ＡＡＩ−ＵＬＰＣ−ＮＩ）メッセージ及び上りリンク電力調節（ＡＡＩ−ＵＬ−ＰＯＷＥＲ−ＡＤＪ）メッセージを受信し、上りリンク電力制御パラメータを更新することができる。
【０１２３】
（端末及び基地局の構造）
以下、本発明の他の実施例であって、上述した本発明の実施例を実行できる端末及び基地局（ＦＢＳ、ＭＢＳ）を説明する。
【０１２４】
端末は、上りリンクでは送信機として動作し、下りリンクでは受信機として動作できる。また、基地局は、上りリンクでは受信機として動作し、下りリンクでは送信機として動作できる。すなわち、端末及び基地局は、情報またはデータの伝送のために送信機及び受信機を備えることができる。
【０１２５】
送信機及び受信機は、本発明の実施例を実行するためのプロセッサ、モジュール、部分及び／または手段などを備えることができる。特に、送信機及び受信機は、メッセージを暗号化するためのモジュール（手段）、暗号化したメッセージを解析するためのモジュール、メッセージを送受信するためのアンテナなどを備えることができる。このような送信端及び受信端の一例を、図６を参照して説明する。
【０１２６】
図６は、本発明の他の実施例であって、送信端及び受信端の構造の一例を示すブロック図である。
【０１２７】
図６を参照すると、左側は送信端の構造を示し、右側は受信端の構造を示している。送信端及び受信端のそれぞれは、アンテナ５，１０、プロセッサ２０，３０、伝送モジュール（Ｔｘ  ｍｏｄｕｌｅ）４０，５０、受信モジュール（Ｒｘ  ｍｏｄｕｌｅ）６０，７０及びメモリー８０，９０を備えることができる。各構成要素は、相互に対応する機能を実行することができる。以下、各構成要素についてより詳細に説明する。
【０１２８】
アンテナ５，１０は、伝送モジュール４０，５０で生成された信号を外部に伝送したり、外部から無線信号を受信して受信モジュール６０，７０に伝達する機能を担う。多重アンテナ（ＭＩＭＯ）機能が支援される場合には、２個以上が設けられてもよい。
【０１２９】
アンテナ、伝送モジュール及び受信モジュールは共に、無線通信（ＲＦ）モジュールを構成することができる。
【０１３０】
プロセッサ２０，３０は、通常、移動端末機の全般動作を制御する。例えば、上述した本発明の実施例を実行するためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。より具体的に、プロセッサ２０，３０は、図２乃至図５に示すハンドオーバーまたは領域変更を行うための制御全般を行うことができる。
【０１３１】
特に、移動端末機（ＡＭＳ）のプロセッサは、ハンドオーバーを行う際に、サービング基地局から伝送されるハンドオーバー命令（ＡＡＩ−ＨＯ−ＣＭＤ）メッセージを通じてｉｏｔＦＰ及びオフセットコントロール情報を受信し、これらを、ターゲット基地局に伝送する専用レンジングコードの伝送電力に適用することができる。
【０１３２】
また、移動端末機のプロセッサは、領域変更を行う際、ターゲット領域にレンジングコードを伝送したり、レンジング要請メッセージを伝送したりするための帯域幅を要請する時に、ＲＮＧ−ＲＳＰメッセージに含まれたＺＳ−ＴＬＶから獲得されるｉｏｔＦＰ及びオフセットコントロール情報を伝送電力制御に適用することができる。
【０１３３】
その他にも、端末のプロセッサは、上述した実施例に開示された動作の全般的な制御動作を行うことができる。
【０１３４】
伝送モジュール４０，５０は、プロセッサ２０，３０からスケジューリングされて外部に伝送されるデータに、所定の符号化（ｃｏｄｉｎｇ）及び変調（ｍｏｄｕｌａｔｉｏｎ）を行った後、アンテナ１０に伝達することができる。
【０１３５】
受信モジュール６０，７０は、外部からアンテナ５，１０を介して受信された無線信号に復号（ｄｅｃｏｄｉｎｇ）及び復調（ｄｅｍｏｄｕｌａｔｉｏｎ）を行って原本データの形態に復元し、プロセッサ２０，３０に伝達することができる。
【０１３６】
メモリー８０，９０は、プロセッサ２０，３０の処理及び制御のためのプログラムを格納することもでき、入／出力されるデータを臨時記憶する機能を担うこともできる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの少なくとも一タイプの記憶媒体を含むことができる。
【０１３７】
一方、基地局は、上述した本発明の実施例を実行するためのコントローラ機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ伝送のためのパケット変復調機能、高速パケットチャネルコーディング機能、及び実時間モデム制御機能などを、上述したモジュールの少なくとも一つにより行ったり、これらの機能を実行するための別の手段、モジュールまたは部分などをさらに備えることができる。
【０１３８】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０１３９】
上述したような広帯域無線接続システムにおいてより効率的な領域変更のための電力制御方法及びそのための端末構造は、ＩＥＥＥ  ８０２．１６ｍシステムに適用される例を中心に説明したが、ＩＥＥＥ  ８０２．ｘｘシステムの他、３ＧＰＰ／３ＧＰＰ２のような他の種々の移動通信システムに適用することも可能である。
【図１】
2013545394.tif 000007
【図２】
2013545394.tif 000008
【図３】
2013545394.tif 000009
【図４】
2013545394.tif 000010
【図５】
2013545394.tif 000011
【図６】
2013545394.tif 000012
【国際調査報告】
2013545394.tif 000013
2013545394.tif 000014
2013545394.tif 000015